Podtech/llm-jp-corpus-v4-ja_patent huggingface dataset:
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
ビームフォーミングセルラ通信ネットワークと同期するためのワイヤレス送信／受信ユニット（ＷＴＲＵ）であって、
前記ＷＴＲＵにおいて、それぞれが複数のシンボルを含む複数のＳＹＮＣバーストを含むＳＹＮＣバーストセットを、前記ビームフォーミングセルラ通信ネットワークからビーム内において受信し、
前記ＳＹＮＣバーストセットから、前記ＷＴＲＵが前記ビームフォーミングセルラ通信ネットワークと同期するための同期パラメータを判断する、
ように構成されるプロセッサを備える、ＷＴＲＵ。
【請求項２】
前記プロセッサが、前記ビームフォーミングセルラ通信ネットワークによって方向付けられるマルチビームＳＹＮＣ信号、前記ＷＴＲＵによって方向付けられるマルチビーム同期スケジュール、マルチビームショートＳＹＮＣ信号、並びに前記ビームフォーミングセルラ通信ネットワーク及び前記ＷＴＲＵに基づいて方向付けられるハイブリッドＳＹＮＣ構造のうちの１つを使用して、前記ＳＹＮＣバーストセットを受信するように構成される、請求項１に記載のＷＴＲＵ。
【請求項３】
前記同期パラメータが、ＳＹＮＣ信号タイプ、ビームスイープタイプ、ビームスイープ順序、ＡＣＫリソース構成、及びビームホッピングパターンのうちの１つ以上を含む、請求項１又は２に記載のＷＴＲＵ。
【請求項４】
前記プロセッサが、前記ＳＹＮＣバーストセットを受信するためにビームスイープを実行するように構成される、請求項１〜３のいずれか１項に記載のＷＴＲＵ。
【請求項５】
前記ビームスイープが、部分ビームスイープを含み、前記プロセッサが、前記ビームフォーミングセルラ通信ネットワークによって送信されるあるビームに対して前記部分ビームスイープを行うことを判断するように構成される、請求項４に記載のＷＴＲＵ。
【請求項６】
前記プロセッサが、第１のビームスイープを実行し、前記ＷＴＲＵと前記ビームフォーミングセルラ通信ネットワークとの間の第１のビームペアリングを判断し、前記第１のビームペアリングで第２のビームスイープを実行するように、さらに構成される、請求項１〜５のいずれか１項に記載のＷＴＲＵ。
【請求項７】
前記プロセッサが、ＰＳＳ及びＳＳＳのタイミング及び／若しくは周波数差、ＰＳＳシーケンス及び巡回ビームシフト、並びに／又はビームスイープにおけるビームシーケンスのうちの１つを使用することによって、ＳＹＮＣ動作モードがシングルビームであるか又はマルチビームであるかを判断するように、さらに構成される、請求項１〜６のいずれか１項に記載のＷＴＲＵ。
【請求項８】
前記ＳＹＮＣ動作モードが、シングルビーム動作モード、マルチビーム動作モード、及び部分マルチビーム動作モードのうちの１つを含む、請求項７に記載のＷＴＲＵ。
【請求項９】
ＷＴＲＵをビームフォーミングセルラ通信ネットワークと同期させる方法であって、
前記ＷＴＲＵにおいて、それぞれが複数のシンボルを含む複数のＳＹＮＣバーストを含むＳＹＮＣバーストセットを、前記ビームフォーミングセルラ通信ネットワークからビーム内において受信することと、
前記ＳＹＮＣバーストセットから、前記ＷＴＲＵが前記ビームフォーミングセルラ通信ネットワークと同期するための同期パラメータを判断することと、を含む、方法。
【請求項１０】
前記ＳＹＮＣバーストセットが、前記ビームフォーミングセルラ通信ネットワークによって方向付けられるマルチビームＳＹＮＣ信号、前記ＷＴＲＵによって方向付けられるマルチビーム同期スケジュール、マルチビームショートＳＹＮＣ信号、並びに前記ビームフォーミングセルラ通信ネットワーク及び前記ＷＴＲＵに基づいて方向付けられるハイブリッドＳＹＮＣ構造のうちの１つを使用して受信される、請求項９に記載の方法。
【請求項１１】
前記同期パラメータが、ＳＹＮＣ信号タイプ、ビームスイープタイプ、ビームスイープ順序、ＡＣＫリソース構成、及びビームホッピングパターンのうちの１つ以上を含む、請求項９又は１０に記載の方法。
【請求項１２】
前記ＷＴＲＵが前記ＳＹＮＣバーストセットを受信するためにビームスイープを実行することをさらに含み、前記ビームスイープが、部分ビームスイープを含み、前記ＷＴＲＵが、前記ビームフォーミングセルラ通信ネットワークによって送信されるあるビームに対して前記部分ビームスイープを行うことを判断する、請求項９〜１１のいずれか１項に記載の方法。
【請求項１３】
前記ＷＴＲＵが、第１のビームスイープを実行することと、前記ＷＴＲＵと前記ビームフォーミングセルラ通信ネットワークとの間の第１のビームペアリングを判断することと、前記第１のビームペアリングで第２のビームスイープを実行することと、をさらに含む、請求項９〜１２のいずれか１項に記載の方法。
【請求項１４】
前記ＷＴＲＵが、ＰＳＳ及びＳＳＳのタイミング及び／若しくは周波数差、ＰＳＳシーケンス及び巡回ビームシフト、並びに／又はビームスイープにおけるビームシーケンスのうちの１つを使用することによって、ＳＹＮＣ動作モードがシングルビームであるか又はマルチビームであるかを判断することを、さらに含む、請求項９〜１３のいずれか１項に記載の方法。
【請求項１５】
前記ＳＹＮＣ動作モードが、シングルビーム動作モード、マルチビーム動作モード、及び部分マルチビーム動作モードのうちの１つを含む、請求項１４に記載の方法。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
互いに直交する第１、第２、第３交差軸線（Ａ−Ａ、Ｂ−Ｂ、Ｃ−Ｃ）のまわりに各々配置された第１、第２、第３巻線チャネル（２ａ、２ｃ、２ｃ）を含む磁心（１０）を備え、
前記各巻線チャネル（２ａ、２ｃ、２ｃ）のうちの少なくとも２つが、各々、前記磁心（１０）に巻回された少なくとも１つのコイルを受け入れ、
各コイルの巻回数が少なくとも１巻回であり、
前記各第１、第２、第３交差軸線が、前記各巻線チャネル（２ａ、２ｃ、２ｃ）によって互いに離隔した突出スペーサ（２０）を画定する突出部を各々含む、８つの八分空間を与える直交する複数の平面を画定する、
パワーエレクトロニクスシステム用小型磁気パワーユニット（１００）において、
前記磁心（１０）が、各々前記突出スペーサ（２０）を４つ含む側面部分磁心（１２）を２つ含む少なくとも２つの異なる部分磁心から、層構成の合成磁心として、アタッチメントによって一緒に組み立てられて形成され、
前記磁心（１０）が、貫通孔（３０）に配置されて熱放散部材（５２）に連通する熱伝導性かつ非導電性のヒートパイプ（５１）を含む熱放散用装置（５０）に対応する前記貫通孔（３０）を含む、ことを特徴とする、小型磁気パワーユニット（１００）。
【請求項２】
前記合成磁心が、前記２つの側面部分磁心（１２）の間に置かれて、突出スペーサが無い、少なくとも１つの別の中心部分磁心（１１）を含む、請求項１に記載の小型磁気パワーユニット（１００）。
【請求項３】
前記合成磁心（１０）が、直方体、立方体、球体から選択される全体の幾何学的形状を有する、請求項１又は２に記載の小型磁気パワーユニット（１００）。
【請求項４】
前記部分磁心（１１、１２）が、補助要素（６０ａ、６０ｂ）を使う機械式継手アタッチメントによって、又は、接着剤によって、一緒に組み立てられる、請求項３に記載の小型磁気パワーユニット（１００）。
【請求項５】
前記磁気パワーユニットが、磁束閉鎖磁気カバー（４０）によって囲われる、請求項１から４のいずれか一項に記載の小型磁気パワーユニット（１００）。
【請求項６】
前記磁心（１０）は、その全体の幾何学的形状が、
直方体であり、前記磁束閉鎖カバー（４０）が２対又は３対の磁束閉鎖カバーによって構成され、前記カバーの各対が前記合成磁心の２つの対向側面に配置され、前記カバー（４０）の各々が４つの異なる突出スペーサ（２０）に接している形状、又は
球体であり、前記磁束閉鎖カバー（４０）が、対向する少なくとも２つの球状キャップによって構成され、前記磁束閉鎖カバーの各々が４つの異なる突出スペーサ（２０）に接している形状
から選択される、請求項５に記載の小型磁気パワーユニット（１００）。
【請求項７】
前記磁束閉鎖カバー（４０）の各々が、外周面（４１）を介してそれと直角を成す２つ又は４つの磁束閉鎖カバー（４０）に接している、請求項５又は６に記載の小型磁気パワーユニット（１００）。
【請求項８】
前記外周面（４１）が、傾斜している、請求項７に記載の小型磁気パワーユニット（１００）。
【請求項９】
前記磁束閉鎖カバー（４０）の各々は、前記磁束閉鎖カバー（４０）が前記突出スペーサ（２０）に接しているときに、巻線接続窓を提供する４つの切り欠き（４２）を含む、請求項７又は８に記載の小型磁気パワーユニット（１００）。
【請求項１０】
前記小型磁気パワーユニット（１００）は、
３つの軸線に各々巻回された３つのコイルを備える変圧器と、
２つの軸線に各々巻回された２つのコイルを備え、第３軸線にコイルが無いか、又は、第３軸線にチョークを含む変圧器と、
３つの軸線に各々巻回された３つのコイル、又は、２つの軸線に各々巻回された２つのコイル、を備えるチョークと、
前記３つの軸線の各々に３つのコイルを含む変圧器、又は、前記３つの軸線の間に配置されたチョーク及び変圧器の任意の組み合わせと、
のうちのいずれかである請求項１に記載の小型磁気パワーユニット（１００）。
【請求項１１】
前記合成磁心（１０）、及び／又は、前記磁束閉鎖カバー（４０）が、フェライト、強磁性物質、又は、ポリマー結合型軟磁性（ＰＢＭ）射出可能材料、から選択された材料から作られる、請求項５に記載の小型磁気パワーユニット（１００）。
【請求項１２】
熱放散用の前記貫通孔（３０）が、前記平面の第１平面、第２平面、第３平面のうちの１つと直角を成し、少なくとも２つの部分磁心（１１、１２）を貫通して延伸される、請求項１に記載の小型磁気パワーユニット（１００）。
【請求項１３】
前記ヒートパイプ（５１）が、前記少なくとも１つのコイルの少なくとも１巻回を含む平面と直交する軸線（Ａ−Ａ）に対して同軸に配置され、前記ヒートパイプ（５１）が、その中で発生する熱を取り込むように、前記磁心（１０）を貫通して延伸される、請求項１又は１２に記載の小型磁気パワーユニット（１００）。
【請求項１４】
前記ヒートパイプ（５１）が、沸点の低い液体を充填した中空パイプである、請求項１、１２、１３のいずれか一項に記載の小型磁気パワーユニット（１００）。
【請求項１５】
前記ヒートパイプ（５１）が、磁性又は非磁性、常磁性又は反磁性、の特性を有する熱可塑性材料又はセラミック材料から作られ、前記熱放散部材（５２）が、プレートを備える、請求項１、１２、１３、１４のいずれか一項に記載の小型磁気パワーユニット（１００）。
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
方法であって、コンピュータシステムにおいて、
デバイスにおいて電子ドキュメント内の内容に対応するデータを表示するためのレイアウトを決定するステップを含み、前記レイアウトは、前記データの第１の次元に対応する第１のヘッダと、前記データの第２の次元に対応する第２のヘッダとを含み、前記データは、前記第１のヘッダの前記第１の次元および前記第２のヘッダの前記第２の次元に基づいて表示され、前記方法はさらに、
前記デバイスにおいて前記電子ドキュメントの第１のビューを表示するための１つ以上の属性を識別するステップと、
前記デバイスにおける表示のためにグラフィカルインターフェイスを提供するステップとを含み、前記グラフィカルインターフェイスは、前記内容に対応する前記データの第１の部分をレンダリングする前記第１のビューを有し、前記第１のビューにおける前記第１のヘッダおよび前記第２のヘッダを有する前記第１の部分がレンダリングされ、前記方法はさらに、
前記グラフィカルインターフェイスとの対話に対応する入力を監視するステップと、
前記グラフィカルインターフェイスへの入力を監視することによって検出される前記第１のビューに対する調整に基づいて、前記第１のビューに対する前記調整のために前記第１のビューの一部分が前記グラフィカルインターフェイスにおいて視認できないことを検出するステップとを含み、前記第１のビューの前記一部分は前記第１のヘッダを含み、前記方法はさらに、
前記検出するステップに基づいて、前記デバイスにおいて前記電子ドキュメントの第２のビューを生成するステップを含み、前記第２のビューは、前記内容に対応する前記データの第２の部分を表示し、前記第２の部分は、検出された前記一部分に基づいて決定され、前記第２の部分は、前記第１のビューのうち検出された前記一部分に基づいて前記第１のヘッダに対応する変更として示され、前記第２のビューは、前記第１のビューにおいてレンダリングされるとおりに前記第２のヘッダを示し、前記方法はさらに、
前記デバイスにおいて表示される前記グラフィカルインターフェイスにおいて前記第１のビューを前記第２のビューと置換えるステップを含む、方法。
【請求項２】
前記対話は前記グラフィカルインターフェイスにおける要素の移動に対応し、前記移動により前記第１のビューを垂直方向に調整し、前記第１のヘッダは行ヘッダである、請求項１に記載の方法。
【請求項３】
前記対話は、前記グラフィカルインターフェイスにおける要素の移動に対応し、前記移動により前記第１のビューを水平方向に調整し、前記第１のヘッダは列ヘッダである、請求項１または２に記載の方法。
【請求項４】
前記第１のビューは、前記データの前記第１の部分が前記第１のヘッダの前記第１の次元および前記第２のヘッダの前記第２の次元に基づいて表示される第１の本体を含み、前記第２のビューは、前記データの前記第２の部分が表示される第２の本体を含み、前記データの前記第２の部分は、前記データの前記第１の部分における少なくともいくらかのデータを含む、請求項１から３のいずれか１項に記載の方法。
【請求項５】
前記第２の部分には、前記第１のビューのうち検出された前記一部分に基づいて前記第１のヘッダに対応する変更についての修正済みの第１のヘッダが提示され、前記第２のビューにおける前記修正済みの第１のヘッダは前記データの前記第２の部分についての前記第１の次元を表現する、請求項１から４のいずれか１項に記載の方法。
【請求項６】
前記レイアウトはグリッドである、請求項１から５のいずれか１項に記載の方法。
【請求項７】
前記第１のヘッダは行ヘッダであり、前記第２のヘッダは列ヘッダである、請求項１から６のいずれか１項に記載の方法。
【請求項８】
前記第１のヘッダは列ヘッダであり、前記第２のヘッダは行ヘッダである、請求項１から７のいずれか１項に記載の方法。
【請求項９】
前記第１の次元は前記第２の次元とは異なっている、請求項１から８のいずれか１項に記載の方法。
【請求項１０】
システムであって、
１つ以上のプロセッサと、
前記１つ以上のプロセッサにアクセス可能なメモリとを含み、前記メモリは命令を含み、前記命令は、前記１つ以上のプロセッサによって実行されると、前記１つ以上のプロセッサに、
デバイスにおいて電子ドキュメント内の内容に対応するデータを表示するためのレイアウトを決定させ、前記レイアウトは、前記データの第１の次元に対応する第１のヘッダと、前記データの第２の次元に対応する第２のヘッダとを含み、前記データは、前記第１のヘッダの前記第１の次元および前記第２のヘッダの前記第２の次元に基づいて表示され、さらに、
前記デバイスにおいて前記電子ドキュメントの第１のビューを表示するための１つ以上の属性を識別させ、
前記デバイスにおける表示のためにグラフィカルインターフェイスを提供させ、前記グラフィカルインターフェイスは、前記内容に対応する前記データの第１の部分をレンダリングする前記第１のビューを有し、前記第１のビューにおいて前記第１のヘッダおよび前記第２のヘッダを有する前記第１の部分がレンダリングされ、さらに、
前記グラフィカルインターフェイスとの対話に対応する入力を監視させ、
前記グラフィカルインターフェイスへの入力を監視することによって検出される前記第１のビューに対する調整に基づいて、前記第１のビューに対する前記調整のために前記第１のビューの一部分が前記グラフィカルインターフェイスにおいて視認できないことを検出させ、前記第１のビューの前記一部分は前記第１のヘッダを含み、さらに、
前記検出するステップに基づいて、前記デバイスにおいて前記電子ドキュメントの第２のビューを生成させ、前記第２のビューは、前記内容に対応する前記データの第２の部分を表示し、前記第２の部分は、検出された前記一部分に基づいて決定され、前記第２の部分は、前記第１のビューのうち検出された前記一部分に基づいて前記第１のヘッダに対応する変更として示され、前記第２のビューは、前記第１のビューにおいてレンダリングされるとおりに前記第２のヘッダを示し、さらに、
前記デバイスにおいて表示される前記グラフィカルインターフェイスにおいて前記第１のビューを前記第２のビューと置換えさせる、システム。
【請求項１１】
請求項１〜９のいずれかに記載の方法をコンピュータに実行させる、プログラム。
【請求項１２】
請求項１１に記載のプログラムを格納したメモリと、
前記プログラムを実行するプロセッサとを備える、システム。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
タッチセンサ式キーボードであって：
ａ．各々が指の近接に応じてタッチ信号を出力するのに適した複数のキー；
ｂ．キーから分離しており、タッチに感度のあるタッチパッド領域；および
ｃ．複数のキーに動作可能に連結されたプロセッサであって、それによってタッチ信号出力を受信することができ、および、少なくとも１つの近接信号が受信された時にタッチに対するタッチパッドの感度を無効にするように構成された、プロセッサ、
を含む、タッチセンサ式キーボード。
【請求項２】
プロセッサは、近接信号のあらかじめ構成されたグループが受信されると、タッチパッドのタッチへの感度を無効にするように構成される、請求項１に記載のタッチセンサ式キーボード。
【請求項３】
プロセッサは、１セットのあらかじめ構成されたキーからの近接信号に応じて、タッチパッドのタッチへの感度を無効にしないように構成される、請求項１に記載のタッチセンサ式キーボード。
【請求項４】
複数のキーは、あらかじめ選択されたキーのグループを含まない、請求項１に記載のタッチセンサ式キーボード。
【請求項５】
制御としてタッチセンサ式キーボードを使用する方法であって、タッチセンサ式キーボード上の複数のキーの各キーは、制御として動作するキーと指の間の距離に対応する信号強度を出力するのに適しており、該方法は、
ａ．タッチセンサ式キーボードに対する少なくとも１つの指の少なくとも一部のあらかじめ規定された位置付けに基づいて、タッチセンサ式キーボードを制御状態に置く工程；
ｂ．制御状態にある間に、キーボード上の近傍のキーのグループの間で信号強度を補間することにより、繰り返し制御方向を判定する工程；および
ｃ．制御に使用するためのホストに制御方向を出力する工程、
を含む、方法。
【請求項６】
ａ．キーボード上の近傍のキーのグループの間の信号強度の補間によって制御規模を判定する工程；および
ｂ．制御に使用されるホストに制御規模を出力する工程、
をさらに含む、請求項５に記載の方法。
【請求項７】
近傍のキーのグループはセンタキーに隣接している各キーを含む、請求項５に記載の方法。
【請求項８】
近傍のキーのグループは、センタキーの一定距離内にある各キーを含む、請求項５に記載の方法。
【請求項９】
制御方向と制御規模は、ジョイスティックをエミュレートするために使用される、請求項６に記載の方法。
【請求項１０】
制御方向と制御規模は、コンピュータマウスをエミュレートするために使用される、請求項６に記載の方法。
【請求項１１】
ａ．制御として動作する指のベースライン位置を確立する工程；および
ｂ．制御方向を判定する工程は、ベースライン位置からデルタを確立する、
工程をさらに含む、請求項５に記載の方法。
【請求項１２】
タッチセンサ式キーボードであって：
ａ．複数のタッチセンサ式キー；
ｂ．複数のタッチセンサ式キーの各々と、その近位にある少なくとも１つの指の間の距離に対応する信号強度を測定するのに適した信号プロセッサ；
ｃ．プロセッサであって、
ｉ．押されている複数のタッチセンサ式キーの１つに応えてキーストロークを出力し、および
ｉｉ．キーボード上の複数のタッチセンサ式キーの各々に関する信号強度を補間することによって判定された１つ以上のタッチ点を出力するように構成された、
プロセッサ、
を含む、タッチセンサ式キーボード。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
方法であって、
ストリームソースからの入来イベントをマイクロバッチするようにストリームプロセッサを構成することと、
前記入来イベントのマイクロバッチについての単一のタイムスタンプを生成することと、
前記ストリームソースからの前記入来イベントの前記マイクロバッチを受信することと、
前記単一のタイムスタンプを前記マイクロバッチの各イベントに割り当てることと、
アルゴリズムに少なくとも部分的に基づいて、前記マイクロバッチのそれぞれのイベントごとに別個のタイムスタンプ値を生成することと、
前記マイクロバッチのそれぞれのイベントごとに、前記別個のタイムスタンプ値のうちの個々のタイムスタンプ値を割り当てることとを備える、方法。
【請求項２】
前記アルゴリズムは、ウォールクロック進行アルゴリズム、均等分散型アルゴリズム、均等分散型トップオフアルゴリズム、または単純なシーケンスアルゴリズムを備える、請求項１に記載の方法。
【請求項３】
前記別個のタイムスタンプ値のうちの個々のタイムスタンプ値を割り当てることは、前記別個のタイムスタンプ値のうちの前記個々のタイムスタンプ値を、前記マイクロバッチの各イベントについての前記単一のタイムスタンプに付加することを備える、請求項１または２に記載の方法。
【請求項４】
前記アルゴリズムは、前記マイクロバッチの各イベントに固有のタイムスタンプを提供する、請求項１から３のいずれか１項に記載の方法。
【請求項５】
前記アルゴリズムは、前記マイクロバッチの各イベントが前記マイクロバッチの一部として識別可能であることを保証する、請求項４に記載の方法。
【請求項６】
各イベントを、１つ以上の連続クエリ言語エンジンパーティションに割り当てることをさらに備える、請求項１から５のいずれか１項に記載の方法。
【請求項７】
前記１つ以上の連続クエリ言語エンジンパーティションの第１のパーティションを識別することと、
前記第１のパーティションが、前記第１のパーティションに割り当てられる前記マイクロバッチにおける複数のイベントのイベント数よりも大きいウィンドウサイズを有すると判断することとをさらに備える、請求項６に記載の方法。
【請求項８】
前記第１のパーティションについてのハートビートイベントを生成することと、
前記ハートビートイベントを前記第１のパーティションに挿入することとをさらに備える、請求項７に記載の方法。
【請求項９】
システムであって、
コンピュータによって実行可能な命令を格納するように構成されたメモリと、
前記メモリにアクセスして、前記コンピュータによって実行可能な命令を実行するように構成されたプロセッサとを備え、前記コンピュータによって実行可能な命令は、少なくとも、
ストリームソースからの入来イベントをマイクロバッチするようにストリームプロセッサを構成する命令と、
前記入来イベントのマイクロバッチについての単一のタイムスタンプを生成する命令と、
前記ストリームソースからの前記入来イベントの前記マイクロバッチを受信する命令と、
前記単一のタイムスタンプを前記マイクロバッチの各イベントに割り当てる命令と、
アルゴリズムに少なくとも部分的に基づいて、前記マイクロバッチのそれぞれのイベントごとに別個のタイムスタンプ値を生成する命令と、
前記マイクロバッチのそれぞれのイベントごとに、前記別個のタイムスタンプ値のうちの個々のタイムスタンプ値を割り当てる命令とを備える、システム。
【請求項１０】
請求項１〜８のいずれか１項に記載の方法をプロセッサに実行させるためのコンピュータ読取可能プログラム。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
疾患の進行を制御するのに適した薬物治療に対する対象の応答又は応答の可能性を評価する方法であって、ここで、薬物は、白血球動員、接着及び/又は遊走を変更可能であり、
対象から得られた血液サンプルを、少なくとも1つの白血球機能アッセイ(LAFA)に付すステップであって、LAFAが、以下:少なくとも1種の内皮分子及び少なくとも1種の細胞のうち少なくとも1種以上への、白血球動員、接着及び/又は遊走を評価する、ステップ、並びに
少なくとも1つのLAFAの1以上の結果に少なくとも部分的に基づいて、疾患の進行を制御するための薬物治療に対する、対象の応答又は応答の可能性を評価するステップ
を含む、方法。
【請求項２】
疾患の進行を制御するのに適した薬物治療に対する対象の応答又は応答の可能性を評価する方法であって、ここで、薬物は、白血球動員、接着及び/又は遊走を変更可能であり、
対象から得られた血液サンプルを、少なくとも1つの白血球機能アッセイ(LAFA)に付すステップであって、少なくとも1つのLAFAが、以下:少なくとも1種の内皮分子及び内皮分子を発現する少なくとも1種の細胞のうち少なくとも1種以上に対する、現実的な生理学的条件下での白血球動員、接着及び/又は遊走を定量的及び/又は半定量的に評価する、ステップ、並びに
少なくとも1つのLAFAの1以上の結果に少なくとも部分的に基づいて、疾患の進行を制御するための薬物治療に対する、対象の応答又は応答の可能性を評価するステップ
を含む、方法。
【請求項３】
少なくとも1つのLAFAが、以下の基板:VCAM-1、MAdCAM-1、P-セレクチン、E-セレクチン、IL-8、SDF1α及び内皮分子を発現する1種以上の細胞のうち1以上で実施される、請求項1に記載の方法。
【請求項４】
少なくとも1つのLAFAが、以下のパラメータ:検出されたローリング白血球細胞の定量化、検出された接着白血球細胞の定量化、検出されたクローリング白血球細胞の定量化、検出された個々の白血球細胞の平均速度、検出された個々の白血球細胞の平均真直性、検出された個々の白血球細胞の平均転移及び検出された個々の白血球細胞の平均滞留時間のうち1以上を測定する、請求項1〜3のいずれか1項に記載の方法。
【請求項５】
少なくとも1つのLAFAが、以下のパラメータ:検出されたローリング白血球細胞の定量化、検出された接着白血球細胞の定量化、検出されたクローリング白血球細胞の定量化、検出された個々の白血球細胞の平均速度、検出された個々の白血球細胞の平均真直性、検出された個々の白血球細胞の平均移動及び検出された個々の白血球細胞の平均滞留時間のうち2以上を測定する、請求項1〜4のいずれか1項に記載の方法。
【請求項６】
対象からの血液サンプルが、Mn2+を用いて処置され、少なくとも1つのLAFAが、Mn2+処置血液サンプルで実施され、その少なくとも1つのLAFAの1以上の結果が、1以上の指数を作製するために使用される1以上のパラメータを作製するために使用される、請求項1〜5のいずれか1項に記載の方法。
【請求項７】
対象からの血液サンプルから得た少なくとも1つのLAFAの1以上の結果が、1以上の指数を作製するために使用される1以上のパラメータを作製するための対照として使用される、請求項1〜6のいずれか1項に記載の方法。
【請求項８】
以下の1以上の指数のうち1以上が作製される:対象の相対真直性指数(RSTI)、相対速度指数(RSI)及び相対滞留時間指数(RDTI)、請求項1〜7のいずれか1項に記載の方法。
【請求項９】
対象の血液の活性化可能性比が、対象のMn2+処置血液サンプルの少なくとも1つのLAFAの1以上の結果によって除された、対象の血液から得た少なくとも1つのLAFAの1以上の結果に基づいて作製される、請求項1〜8のいずれか1項に記載の方法。
【請求項１０】
疾患が、以下:異常な白血球動員、接着及び/又は遊走、炎症の進行、自己免疫状態の進行、免疫不全状態の進行及び感染状態の進行のうち1以上を少なくとも部分的に含む、請求項1〜9のいずれか1項に記載の方法。
【請求項１１】
疾患が、多発性硬化症(MS)又は炎症性腸疾患(IBD)を少なくとも部分的に含む、請求項1〜10のいずれか1項に記載の方法。
【請求項１２】
少なくとも1つのLAFAの1以上の結果が、対象を層別化するために、及び疾患の進行を制御するための薬物治療に対する対象の応答又は応答の可能性を評価するために使用される、並びに／あるいは
少なくとも1つのLAFAの1以上の結果が、対象を層別化するために、及び疾患の進行を制御するための薬物治療に対する対象の応答又は応答の可能性を予測するために使用される、請求項1〜11のいずれか1項に記載の方法。
【請求項１３】
少なくとも1つのLAFAが、静止又は非静止条件下で実施される、請求項1〜12のいずれか1項に記載の方法。
【請求項１４】
請求項1〜13のいずれか1項に記載の方法に基づいて少なくとも1つのLAFAを実施するための系。
【請求項１５】
請求項1〜13のいずれか1項に記載の方法に基づいて少なくとも1つのLAFAを実施するためのデバイス。
【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
光検出と測距（ＬＩＤＡＲ）システムであって、該システムは：
光信号を生成するように構成されたレーザ源；
光信号の周波数または位相の少なくとも１つを変調するように構成された変調器；
変調光信号を送信するように構成された１つ以上の走査光学装置；および
処理回路であって；
第１の角解像度を使用して、１つ以上の走査光学装置の視野内の複数の第１の距離測定値を取得するために１つ以上の走査光学装置を動作させ；
複数の距離ゲートのうち特定の距離ゲートに対応する１つ以上の第１の距離測定値を使用して、複数の距離ゲートのうち特定の距離ゲートに第２の角解像度を割り当て；
複数の距離ゲートのうち特定の距離ゲートに割り当てられた最小角と最大角を拡張し；
複数の第２の距離測定値を取得するために、複数の距離ゲートのうち特定の距離ゲートに割り当てられた、第２の角解像度、拡張された最小角、および拡張された最大角を使用して、１つ以上の走査光学装置を動作させ；および
複数の第２の距離測定値を使用して、自律走行車を制御するように構成された、
処理回路、
を含む、光検出と測距（ＬＩＤＡＲ）システム。
【請求項２】
処理回路は、下部半円形状を最小角によって表される下の境界に追加することによって、および上部半円形状を最大角によって表される上の境界に追加することによって、最小角を拡張するように構成される、請求項１に記載のＬＩＤＡＲシステム。
【請求項３】
処理回路は、複数の距離ゲートのうち特定の距離ゲートに関する目標空間解像度を使用して、複数の距離ゲートのうち特定の距離ゲートに第２の角解像度を割り当てるように構成される、請求項１に記載のＬＩＤＡＲシステム。
【請求項４】
第１の角解像度は、目標空間解像度よりも大きい、請求項３に記載のＬＩＤＡＲシステム。
【請求項５】
処理回路は、のこぎり歯の軌道を使用して走査するために、１つ以上の走査光学装置を動作させるように構成される、請求項１に記載のＬＩＤＡＲシステム。
【請求項６】
１つ以上の走査光学装置によって送信される変調光信号に応じて戻り信号を受信するように構成された検知器アレイをさらに含み、ここで、処理回路は、戻り信号を使用して少なくとも１つの第２の距離測定値を決定するように構成される、請求項１に記載のＬＩＤＡＲシステム。
【請求項７】
処理回路は、複数の距離ゲートのうち特定の距離ゲートの特徴的距離を使用して、複数の第２の距離測定値を取得するために基準経路遅延時間を決定し；および
基準経路遅延時間によって複数の第２の距離測定値を取得するために使用される基準信号を遅延させる、ように構成される、
請求項１に記載のＬＩＤＡＲシステム。
【請求項８】
複数の距離ゲートのうち特定の距離ゲートは、１つ以上の走査光学装置の視野の角空間の一部に関連づけられ、および１つ以上の第１の距離測定値は、特定の距離ゲートに割り当てられた最小距離よりも大きく、かつ特定の距離ゲートに割り当てられた最大距離未満である、請求項１に記載のＬＩＤＡＲシステム。
【請求項９】
１つ以上の走査光学装置の視野内の、複数の第１の距離測定値を取得するために、第１の角解像度を使用して、１つ以上の走査光学装置を動作させる工程；
複数の距離ゲートのうち特定の距離ゲートに対応する１つ以上の第１の距離測定値を使用して、複数の距離ゲートのうち特定の距離ゲートに第２の角解像度を割り当てる工程；
複数の距離ゲートのうち特定の距離ゲートに割り当てられた最小角と最大角を拡張する工程；
複数の第２の距離測定値を取得するために、複数の距離ゲートのうち特定の距離ゲートに割り当てられた、第２の角解像度、拡張された最小角、および拡張された最大角を使用して、１つ以上の走査光学装置を動作させる工程；および
複数の第２の距離測定値を使用して、自律走行車を制御する工程、
を含む、請求項１−８のいずれか１つに記載のＬＩＤＡＲシステムを動作させる方法。
【請求項１０】
最小角を拡張する工程は、下部半円形状を最小角によって表される下の境界に追加する工程を含み、および最大角を拡張する工程は、上部半円形状を最大角によって表される上の境界に追加する工程を含み、ここで、最小角と最大角は仰角である、請求項９に記載の方法。
【請求項１１】
複数の距離ゲートのうち特定の距離ゲートに第２の角解像度を割り当てる工程は、複数の距離ゲートのうち特定の距離ゲートに関する目標空間解像度を使用して、第２の角解像度を割り当てる工程を含み、ここで第１の角解像度は、目標空間解像度よりも大きい、請求項９に記載の方法。
【請求項１２】
視野内の物体のサイズの所定の値または所定の分数の少なくとも１つを使用して、目標空間解像度を決定する工程をさらに含み、前記所定の値は１０センチメートル以下である、請求項１１に記載の方法。
【請求項１３】
複数の第１の距離測定値または複数の第２の距離測定値の少なくとも１つを取得するために、１つ以上の走査光学装置を動作させる工程は、のこぎり歯スキャンの軌道を使用した走査のために１つ以上の走査光学装置を動作させる工程を含む、請求項９に記載の方法。
【請求項１４】
複数の距離ゲートのうち特定の距離ゲートの特徴的距離を使用して、複数の第２の距離測定値を取得するために基準経路遅延時間を決定する工程をさらに含み、ここで、１つ以上の走査光学装置を動作させる工程は、基準経路遅延時間によって複数の第２の距離測定値を取得するために１つ以上の走査光学装置によって使用される基準信号を遅延させる工程を含む、請求項９に記載の方法。
【請求項１５】
複数の距離ゲートのうち特定の距離ゲートは、１つ以上の走査光学装置の視野の角空間の一部に関連づけられ、および１つ以上の第１の距離測定値は、特定の距離ゲートに割り当てられた最小距離よりも大きく、かつ特定の距離ゲートに割り当てられた最大距離未満である、請求項９に記載の方法。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
光検出と測距（ＬＩＤＡＲ）システムであって、前記システムは：
光学信号を生成するように構成されるレーザ源と；
経時的に周波数が増加する第１の光学信号および経時的に周波数が減少する第２の光学信号を生成するように構成される変調器と；
前記第１の光学信号および前記第２の光学信号を送信するように構成される走査光学系と；
処理回路であって：
前記第１の光学信号に応答する第１の戻り信号と、前記第１の光学信号に基づく第１の参照信号とを用いて物体に対する少なくとも１つの第１の距離を判定し；
前記第２の光学信号に応答する第２の戻り信号と、前記第２の光学信号に基づく第２の参照信号とを用いて前記物体に対する少なくとも１つの第２の距離を判定し；および、
前記物体に対して、第３の距離に少なくとも基づいて自律走行車の操作を制御するように構成される車両コントローラーに対する前記少なくとも１つの第１の距離および前記少なくとも１つの第２の距離を用いて前記物体に対する前記第３の距離を出力するように構成される、処理回路と、
を含む、光検出と測距（ＬＩＤＡＲ）システム。
【請求項２】
前記走査光学系は、前記第１の光学信号および前記第２の光学信号を送信し、前記第１の戻り信号および前記第２の戻り信号を受信するように構成される光カプラを含む、請求項１に記載のＬＩＤＡＲシステム。
【請求項３】
前記第１の戻り信号および前記第２の戻り信号を取得するように構成される検出器アレイをさらに含む、請求項１に記載のＬＩＤＡＲシステム。
【請求項４】
前記処理回路は、前記第１の参照信号と前記第１の戻り信号との間の周波数差に基づいて前記少なくとも１つの第１の距離を判定するように構成される、請求項１に記載のＬＩＤＡＲシステム。
【請求項５】
前記処理回路は、前記第１の戻り信号および前記第２の戻り信号を一致させることによって前記第３の距離を判定するために、前記少なくとも１つの第１の距離および前記少なくとも１つの第２の距離を選択するように構成される、請求項１に記載のＬＩＤＡＲシステム。
【請求項６】
前記変調器は、第１の周波数帯域の前記第１の光学信号および前記第１の周波数帯域に重複しない第２の周波数帯域の第２の光学信号を出力するように構成される、請求項１に記載のＬＩＤＡＲシステム。
【請求項７】
自律走行車システムであって、前記自律走行車システムは、
請求項１〜６のいずれか１つに記載されるＬＩＤＡＲシステムと；
前記物体に対する前記第３の距離に少なくとも基づいて自律走行車の操作を制御するように構成される車両コントローラーと、
を含む、自律走行車システム。
【請求項８】
前記車両コントローラーは、前記第３の距離に少なくとも基づいて前記物体の形状を判定し、前記物体の前記形状を用いて前記自律走行車の操作を制御するように構成される、請求項７に記載の自律走行車システム。
【請求項９】
前記車両コントローラーは、前記自律走行車と前記物体との間の閉成速度を判定し、前記閉成速度を用いて前記自律走行車の操作を制御するように構成される、請求項７に記載の自律走行車システム。
【請求項１０】
請求項１〜６のいずれか１つに記載のＬＩＤＡＲシステムを用いた物体距離検出を使用した自律走行車制御のための方法であって、前記方法は：
経時的に周波数が増加する第１の光学信号を送信する工程と；
前記第１の光学信号に応答する第１の戻り信号を受信する工程と；
前記第１の戻り信号と、前記第１の光学信号に基づく第１の参照信号とを用いて、物体に対する少なくとも1つの第１の距離を判定する工程と； 
経時的に周波数が減少する第２の光学信号を送信する工程と；
前記第２の光学信号に応答する第２の戻り信号を受信する工程と；
前記第２の戻り信号と、前記第２の光学信号に基づく第２の参照信号とを用いて、前記物体に対する少なくとも１つの第２の距離を判定する工程と；
前記少なくとも１つの第１の距離と前記少なくとも１つの第２の距離とを用いて、前記物体に対する第３の距離を判定する工程と；
前記物体に対する前記第３の距離に少なくとも基づいて自律走行車の操作を制御する工程と、
を含む、方法。
【請求項１１】
前記第１の参照信号と前記第１の戻り信号との間の周波数差に基づいて前記少なくとも１つの第１の距離を判定する工程をさらに含む、請求項１０に記載の方法。
【請求項１２】
前記第１の戻り信号と前記第２の戻り信号とを一致させることによって、前記少なくとも１つの第１の距離および前記少なくとも１つの第２の距離を選択する工程をさらに含む、請求項１０に記載の方法。
【請求項１３】
前記第３の距離を判定する工程は、前記第１の戻り信号または前記第２の戻り信号の少なくとも１つに関連するドップラー効果を補正することを含む、請求項１０に記載の方法。
【請求項１４】
前記物体は移動する物体であると判定する工程と；
前記物体が移動する物体であると示すために、ディスプレイ装置を用いて、前記物体のドップラー修正位置を表示する工程と、
をさらに含む、請求項１０に記載の方法。
【請求項１５】
前記自律走行車と前記物体との間の閉成速度；または、
前記第３の距離に少なくとも基づく前記物体の形状；
の少なくとも１つを判定する工程と；
前記閉成速度を用いて前記自律走行車の操作を制御する工程と、
をさらに含む、請求項１０に記載の方法。
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
1組の同期信号を識別するステップと、
前記1組の同期信号の各同期信号に関して1組の位相オフセットから位相オフセットを選択するステップと、
前記選択された位相オフセットを使用して1組のコンポーネントキャリアの異なるコンポーネントキャリア上で前記1組の同期信号の各同期信号を送信するステップであって、前記1組の同期信号が周波数分割多重化を使用して同時に送信され、各同期信号が前記1組のコンポーネントキャリアの異なるコンポーネントキャリアに関連付けられる、ステップと
を含む、方法。
【請求項２】
前記異なるコンポーネントキャリア上で各同期信号を送信するステップが、
異なる無線周波数内で各同期信号を送信するステップ
を含む、請求項1に記載の方法。
【請求項３】
前記1組の同期信号を送信するステップが、
広帯域キャリア内の周波数帯域内で同時に前記1組の同期信号を送信するステップ
を含む、請求項1に記載の方法。
【請求項４】
前記1組の同期信号が、1次同期信号(PSS)、または2次同期信号(SSS)、またはそれらの組合せを含む、請求項1に記載の方法。
【請求項５】
時分割多重化を使用して前記1組の同期信号の各PSSおよび各SSSを多重化するステップ
をさらに含む、請求項4に記載の方法。
【請求項６】
前記位相オフセットを選択するステップが、
前記1組の同期信号にわたって位相ランプを加えるステップであって、各同期信号が1組のコンポーネントキャリアの異なるコンポーネントキャリアに関連付けられる、ステップ
を含む、請求項1に記載の方法。
【請求項７】
前記位相オフセットを選択するステップが、
1組のコンポーネントキャリアの異なるコンポーネントキャリアにわたってシーケンスを加えるステップ
を含む、請求項1に記載の方法。
【請求項８】
前記シーケンスが、ショートZadoff-Chuシーケンス、または拡張Zadoff-Chuシーケンス、またはショート最大長(M)シーケンス、または拡張Mシーケンスを含む、請求項7に記載の方法。
【請求項９】
1組のコンポーネントキャリアのコンポーネントキャリアの数、または前記1組のコンポーネントキャリアの異なるコンポーネントキャリアに関連付けられた同期信号のシーケンス、または両方に少なくとも部分的に基づいて、前記1組の位相オフセットを識別するステップ
をさらに含む、請求項1に記載の方法。
【請求項１０】
前記1組の位相オフセットに関連付けられたピーク対平均電力比(PAPR)またはキュービックメトリック(CM)を識別するステップであって、前記1組の位相オフセットを識別するステップが、前記識別されたPAPRまたは前記識別されたCMを最小化することに少なくとも部分的に基づく、ステップ、または
前記1組の位相オフセットに関連付けられたピーク対平均電力比(PAPR)またはキュービックメトリック(CM)を識別するステップであって、前記1組の位相オフセットを識別するステップが、前記識別されたPAPRまたは前記識別されたCMが所定のしきい値未満であるかどうかに少なくとも部分的に基づく、ステップ
をさらに含む、請求項1に記載の方法。
【請求項１１】
前記1組の同期信号用の1つまたは複数のシーケンスを選択するステップ
をさらに含む、請求項1に記載の方法。
【請求項１２】
前記1つまたは複数のシーケンスが、Zadoff-Chuシーケンス、または最大長(M)シーケンス、またはそれらの組合せを含む、請求項11に記載の方法。
【請求項１３】
前記1つまたは複数のシーケンスを選択するステップが、
ピーク対平均電力比(PAPR)もしくはキュービックメトリック(CM)を最小化するZadoff-Chuシーケンスのルートおよびサイクリックシフトの1つもしくは複数の組合せを選択するステップ、もしくは
前記PAPRもしくは前記CMを最小化した最大長(M)シーケンスの多項式およびサイクリックシフトの1つもしくは複数の組合せを選択するステップ、または
所定のしきい値を下回るピーク対平均電力比(PAPR)値もしくはキュービックメトリック(CM)値に対応するZadoff-Chuシーケンスのルートおよびサイクリックシフトの1つもしくは複数の組合せを選択するステップ、もしくは
所定のしきい値を下回る前記PAPR値もしくは前記CM値に対応する最大長(M)シーケンスの多項式およびサイクリックシフトの1つもしくは複数の組合せを選択するステップ
を含む、請求項11に記載の方法。
【請求項１４】
前記選択された位相オフセットを使用して同期信号ブロックを送信するステップであって、前記同期信号ブロックが、PSS、SSS、物理ブロードキャストチャネル(PBCH)、および前記PBCHの復調基準信号(DMRS)のうちの少なくとも1つまたは複数を含む、
請求項1に記載の方法。
【請求項１５】
基地局におけるワイヤレス通信のための装置であって、請求項1から14のいずれか一項に記載の方法を行うための手段を備える、装置。
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
照明負荷を通る駆動電流を変調するための電流変調器回路であり、
データ入力信号に基づいて前記照明負荷の光出力を変調するための電流変調要素であって、前記照明負荷と直列に接続されるよう適合される電流変調要素と、
前記電流変調要素を制御し、それによって、前記照明負荷を通る電流の変調を実施するためのフィードバックシステムとを有する電流変調器回路であって、前記フィードバックシステムが、
前記電流変調要素の両端の電圧を入力として持つ第１フィードバック制御経路であって、前記電流変調要素の両端の測定電圧を基準電圧と比較するための比較器構成、及び前記比較器構成の出力と前記電流変調要素の制御入力との間のローパスフィルタを有する第１フィードバック制御経路と、
前記データ入力信号を入力として持つ第２フィードバック制御経路とを有する電流変調器回路。
【請求項２】
前記電流変調要素が、トランジスタを含む請求項１に記載の回路。
【請求項３】
前記測定電圧が、前記電流変調要素の両端の平均電圧である請求項１に記載の回路。
【請求項４】
前記測定電圧が、前記電流変調要素の両端の最小ピーク電圧である請求項１に記載の回路。
【請求項５】
前記電流変調要素が、トランジスタを含み、前記基準電圧が、前記トランジスタが飽和限界で動作するように選択される請求項１に記載の回路。
【請求項６】
前記データ入力信号が、前記ローパスフィルタの或る端子に供給される請求項１に記載の回路。
【請求項７】
前記第２フィードバック制御経路が、前記電流変調トランジスタを通る電流の測定に基づき、前記電流変調トランジスタを通る電流が、前記データ入力信号と比較され、その結果が、ハイパスフィルタを介して前記ローパスフィルタの或る端子に供給される請求項１に記載の回路。
【請求項８】
前記ハイパスフィルタが、前記ローパスフィルタよりも高い周波数で動作する請求項７に記載の回路。
【請求項９】
前記第２フィードバック制御経路が、前記照明負荷の光出力の測定に基づく別の入力信号を持つ請求項１乃至８のいずれか一項に記載の回路。
【請求項１０】
照明負荷を駆動するための駆動回路であって、
第１及び第２ドライバ出力端子間に制御された電流を供給するためのドライバと、
前記第１及び第２ドライバ出力端子間に接続される出力コンデンサと、
請求項１乃至９のいずれか一項に記載の電流変調器回路と、
照明負荷に接続するための第１及び第２駆動回路出力とを有する駆動回路。
【請求項１１】
請求項１０に記載の駆動回路と、
前記第１及び第２駆動回路出力間に接続され、前記駆動回路によって駆動される照明負荷とを有する照明回路。
【請求項１２】
照明負荷を通る駆動電流を変調する方法であり、
電流変調要素を使用して前記照明負荷を通る電流を変調することによって前記照明負荷の光出力を変調するステップを有する方法であって、前記方法が、前記電流変調要素の両端の電圧を入力として持つ第１フィードバック制御経路と、データ入力信号を入力として受信する第２フィードバック制御経路とを有するフィードバックシステムを使用して前記電流変調要素を制御するステップを有し、前記第１フィードバック制御経路が、前記電流変調要素の両端の測定電圧を基準電圧と比較し、前記比較器構成の出力と前記電流変調要素の制御入力との間でローパスフィルタリングをする方法。
【請求項１３】
前記電流変調要素が、トランジスタを含み、前記方法が、前記第１フィードバック制御経路のための前記基準電圧を、前記トランジスタが飽和限界で動作するように設定するステップを有する請求項１２に記載の方法。
【請求項１４】
前記第２フィードバック制御経路が、前記電流変調要素を通る電流を測定し、前記電流変調要素を通る電流を前記データ入力信号と比較し、その結果を、ハイパスフィルタを介して前記ローパスフィルタの或る端子に供給する請求項１２に記載の方法。
【請求項１５】
前記ハイパスフィルタが、前記ローパスフィルタよりも高い周波数で動作する請求項１４に記載の方法。